(57)【要約】【課題】観音開き扉の仕切体を駆動するガイド部材固定用の固定具の取り付け作業性と歩留まり性を向上させる。【解決手段】ガイド部材固定用の固定具８は内箱の固定具取り付け用孔９を覆う柔軟な傘部１０と、傘部の略中央部分から突出して前記内箱の固定具取り付け用孔を貫通しガイド部材５側に臨むボス部１２と、ボス部のガイド部材に面する側の端部に形成した弾性変形可能な係止部１３とからなる構成としてある。これにより固定具８はそのボス部１２を固定具取り付け用孔９に押し込むだけで取り付けが完了するとともに、冷蔵庫本体の内外箱間に充填した断熱材の発泡圧力によって位置ずれしたり、固定具取り付け用孔から断熱材がはみだすこともなく、固定具の取り付け作業性と歩留まり性が向上する。【選択図】図３
2013083410.tif 000002
【特許請求の範囲】
【請求項１】
観音開き式の第１、第２扉を有する冷蔵庫本体と、前記第１、第２扉のいずれか一方の突合せ端面部に設けた仕切体と、前記仕切体を前記扉の閉成によって回転駆動させるガイド部材と、前記ガイド部材を冷蔵庫本体の内箱に取り付け固定させる固定具と、前記固定具を取り付けるために前記内箱に設けた固定具取り付け用孔とを備え、前記固定具は前記内箱の固定具取り付け用孔の周縁部を覆う柔軟な傘部と、前記傘部の略中央部分から突出して前記内箱の固定具取り付け用孔を貫通しガイド部材側に臨むボス部と、前記ボス部のガイド部材に面する側の端部に形成した弾性変形可能な係止部とからなり、前記ボス部の係止部を冷蔵庫本体内箱の固定具取り付け孔に貫通させて固定具取り付け用孔周縁に係止固定するとともに固定具取り付け用孔を傘部で覆い、かつ、前記ガイド部材側に臨んだボス部にビスをねじ込んで前記ガイド部材を取り付けた冷蔵庫。
【請求項２】
固定具はボス部の根元部にボス端部の係止部との間で内箱の固定具取り付け用孔の周縁部を挟持する挟持固定部を設け、この挟持固定部と係止部とで内箱の固定具取り付け用孔の周縁部を挟持固定した請求項１記載の冷蔵庫。
【請求項３】
固定具の係止部は円周方向に傾斜した翼辺で構成し、この翼辺を固定具取り付け用孔にねじり込んで貫通させることにより、内箱の取り付け用孔周縁部に係止固定させた請求項１または２記載の冷蔵庫。
【請求項４】
固定具は傘部のボス部とは反対側に杷手部を設け、この杷手部を持ってボス部を内箱の固定具取り付け用孔に装着する請求項１〜３のいずれか１項記載の冷蔵庫。
【請求項５】
固定具は弾性変形可能な樹脂材料で形成し、ボス部に金属製のナットを一体に埋設して構成した請求項１〜４のいずれか１項記載の冷蔵庫。
【請求項６】
冷蔵庫本体の外箱と内箱の間にウレタン樹脂を発泡充填してある請求項１〜５のいずれか１項記載の冷蔵庫。
【発明の詳細な説明】
【技術分野】
【０００１】
本発明は冷蔵庫本体前面の開口を観音開き式の扉で開閉する冷蔵庫に関するものである。
【背景技術】
【０００２】
一般に、この種の冷蔵庫は冷蔵庫本体の前面に観音開き式の第１、第２扉を設け、当該扉の一方の扉同士の突合せ端面に設けた仕切体で両扉間のシールを確保するようになっており、この仕切体は第１、第２扉を設けた部分の開口上下にガイドピンを設け、このガイドピンによって回転駆動するようになっていた（例えば、特許文献１）。
【０００３】
図６は特許文献１に記載された冷蔵庫を示し、１０１は冷蔵庫本体、１０２、１０３は第１、第２の扉、１０４は仕切体、１０５は仕切体１０４を回転駆動するガイドピンで、仕切体１０４の上下端に設けたガイド溝１０６に嵌り合い摺動することによって仕切体１０５を回転駆動し、扉同士の突合せ端面を覆うようになっている。
【０００４】
上記ガイドピン１０５は図７、図８に示すようにガイド部材１０７に一体形成されており、このガイド部材１０７は冷蔵庫本体外箱１０１ａあるいは内箱１０１ｂのいずれか、もしくは双方にビス１０８によってネジ止め固定した固定具１１０のボス部１１１にビス１１２にて固定してある。
【先行技術文献】
【特許文献】
【０００５】
【特許文献１】実開平４−６１２８８号公報
【発明の概要】
【発明が解決しようとする課題】
【０００６】
しかしながら、前記従来の構成では、ガイド部材１０７取り付け用の固定具１１０を冷蔵庫本体外箱１０１ａあるいは内箱１０１ｂに取り付けるにあたって、固定具１１０のネジ孔１１３を冷蔵庫本体外箱１０１ａあるいは内箱１０１ｂの固定具取り付け孔１１４に位置合わせしつつビス１１２によるネジ止め作業が必要となり、作業性が悪いという課題があった。
【０００７】
また、このような問題を解決すべくビス１１２止めの代わりに固定具１１０の両側部に接着テープを貼り付け、この接着テープで冷蔵庫本体の内箱１０１ｂに固定具１１０を接着固定するようにしたものが見られる。
【０００８】
しかしながら、この方式のものでは接着テープを貼り付ける手間が必要となって作業性はそれほど向上しないとともに、ボス部１１１のネジ孔１１３と内箱１０１ｂの固定具取り付け孔１１４との位置が微妙にずれたり、冷蔵庫本体外箱１０１ａと内箱１０１ｂとの間に発泡充填してあるウレタン樹脂が固定具取り付け用孔１１４からにじみだすことがあり、歩留まりを低下させる、という課題を生じていた。
【０００９】
すなわち、冷蔵庫本体外箱１０１ａと内箱１０１ｂとの間にはウレタン樹脂が高圧発泡させて充填してあるが、このウレタン樹脂発泡は固定具１１０を内箱１０１ｂに取り付けた後に行うようになっている。そのため、上記ウレタン樹脂発泡の高圧により固定具１１０が位置ずれしてガイド部材１０７をネジ固定ができないか、ネジ固定困難なものが発生する。また、前記接着テープが薄いとはいえ接着テープが貼られていない固定具１１０と
内箱１０１ｂとの間にはわずかな隙間が生じており、この隙間から発泡ウレタンが固定具１１０と内箱１０１ｂとの間に入り込み、内箱１０１ｂの固定具取り付け用孔１１４からはみ出して、ガイド部材１０７をネジ固定する際の障害となり取り付け固定できないものが生じたりすることがあった。
【００１０】
本発明はこのような従来の課題を解決するもので、作業性と歩留まり性を向上させてコストダウンを図ることを目的としたものである。
【課題を解決するための手段】
【００１１】
前記従来の課題を解決するために本発明は、ガイド部材を冷蔵庫本体の内箱に取り付け固定させる固定具と、前記固定具を取り付けるために前記内箱に設けた固定具取り付け用孔とを備え、前記固定具は前記内箱の固定具取り付け用孔の周縁部を覆う柔軟な傘部と、前記傘部の略中央部分から突出して前記内箱の固定具取り付け用孔を貫通しガイド部材側に臨むボス部と、前記ボス部のガイド部材に面する側の端部に形成した弾性変形可能な係止部とからなり、前記ボス部の係止部を冷蔵庫本体内箱の固定具取り付け孔に貫通させて固定具取り付け用孔周縁に係止固定するとともに固定具取り付け用孔を傘部で覆い、かつ、前記ガイド部材側に臨んだボス部に直接ビスをねじ込んで前記ガイド部材を取り付ける構成としてある。
【００１２】
これにより固定具はそのボス部を固定具取り付け用孔に押し込むだけで取り付けが完了するとともに、この固定具はそのボス部が固定具取り付け孔へ貫通していることによって冷蔵庫本体の内・外箱間に充填した断熱材の発泡圧力を受けても位置ずれするようなこともなくなり、かつ、固定具取り付け用孔は傘部によって覆われるため固定具取り付け用孔から断熱材がはみ出すこともなくなる。また、内箱の固定具取り付け用孔の内側に直接ボス部を取り付け、このボス部に直接ガイド部材を取り付けるため、ガイド部材の位置決め精度が向上し、このガイド部材によってその動きがガイドされる仕切体の位置決め精度も良くすることができて冷蔵庫本体からの冷気漏れを防止できる。
【発明の効果】
【００１３】
本発明は固定具のボス部を固定具取り付け用孔に押し込むだけで取り付けが完了するので作業性が向上するとともに、固定具が断熱材の発泡圧力によって位置ずれするようなこともなくなり、かつ、固定具取り付け用孔から断熱材が漏れ出すこともなくなるので歩留まりもよくなり、双方の相乗効果によって大幅なコストダウンと省エネ性アップも図ることができる。
【図面の簡単な説明】
【００１４】
【図１】本発明の実施の形態１における冷蔵庫の斜視図
【図２】同冷蔵庫のガイド部材の取り付け部を示す拡大断面図
【図３】同ガイド部材取り付け部の要部拡大断面図
【図４】（ａ）同ガイド部材取り付け用の固定具の斜視図（ｂ）同固定具の断面図
【図５】同ガイド部材の拡大斜視図
【図６】従来の冷蔵庫の斜視図
【図７】同冷蔵庫のガイド部材取り付け部の断面図
【図８】同冷蔵庫の固定具取り付け部の分解斜視図
【発明を実施するための形態】
【００１５】
第１の発明は、観音開き式の第１、第２扉を有する冷蔵庫本体と、前記第１、第２扉のいずれか一方の突合せ端面部に設けた仕切体と、前記仕切体を前記扉の閉成によって回転駆動させるガイド部材と、前記ガイド部材を冷蔵庫本体の内箱に取り付け固定させる固定具と、前記固定具を取り付けるために前記内箱に設けた固定具取り付け用孔とを備え、前
記固定具は前記内箱の固定具取り付け用孔の周縁部を覆う柔軟な傘部と、前記傘部の略中央部分から突出して前記内箱の固定具取り付け用孔を貫通しガイド部材側に臨むボス部と、前記ボス部のガイド部材に面する側の端部に形成した弾性変形可能な係止部とからなり、前記ボス部の係止部を冷蔵庫本体内箱の固定具取り付け孔に貫通させて固定具取り付け用孔周縁に係止固定するとともに、固定具取り付け用孔を傘部で覆い、かつ、前記ガイド部材側に臨んだボス部に直接ビスをねじ込んで前記ガイド部材を取り付けた構成としてある。
【００１６】
これにより、固定具はそのボス部を固定具取り付け用孔に押し込むだけで取り付けが完了するとともに、この固定具は冷蔵庫本体の内外箱間に充填した断熱材の発泡圧力によって位置ずれするようなこともなくなり、かつ、固定具取り付け用孔は傘部によって覆われるため固定具取り付け用孔から断熱材がはみ出すこともなくなる。また、内箱の固定具取り付け用孔の内側に直接ボス部を取り付け、このボス部に直接ガイド部材を取り付けるため、ガイド部材の位置決め精度が向上し、このガイド部材によってその動きがガイドされる仕切体の位置決め精度も良くすることができて冷蔵庫本体からの冷気漏れを防止できる。
【００１７】
第２の発明は、固定具はボス部の根元部にボス端部の係止部との間で内箱の固定具取り付け用孔の周縁部を挟持する挟持固定部を設け、この挟持固定部と係止部とで内箱の固定具取り付け用孔の周縁部を挟持する構成としてあり、固定具のボス部は挟持固定部と係止部とで内箱の固定具取り付け用孔周縁部に強固に固定されることになり、断熱材充填時に固定具に高圧がかかっても固定具がぐらついて傾いた状態で固定されてしまうようなことがなくなる。
【００１８】
第３の発明は、固定具の係止部は円周方向に傾斜した翼辺で構成し、この翼辺を固定具取り付け用孔にねじり込んで貫通させることにより、内箱の取り付け用孔周縁部に係止固定させた構成としてあり、翼辺の傾斜により弾性復元圧着力がより強力なものとなって、固定具がぐらついて傾いた状態で固定されてしまうのをより確実に防止することができる。
【００１９】
第４の発明は、固定具は傘部のボス部とは反対側に杷手部を設け、この杷手部を持ってボス部を内箱の固定具取り付け用孔に装着する構成としてあり、杷手部を設けたことによりボス部の固定具取り付け用孔への挿着が容易に行えるようになり、作業性が向上する。
【００２０】
第５の発明は、固定具は弾性変形可能な樹脂材料で形成し、ボス部に金属製のナットを一体に埋設して構成してあり、ガイド部材を固定するビスをねじ込むのが金属製のナットとなるから、十分な強度が確保でき、固定具装着性の良さを維持しつつガイド部材の強固な取り付け固定が可能となる。
【００２１】
第６の発明は、冷蔵庫本体の外箱と内箱の間にウレタン樹脂等の断熱材を発泡充填してある冷蔵庫であり、固定具の傘部を冷蔵庫本体の内箱に押し付けて固定具を強固に固定することができる。
【００２２】
以下、本発明の実施の形態について、図面を参照しながら説明する。なお、この実施の形態によって本発明が限定されるものではない。
【００２３】
（実施の形態１）
図１〜図５は本発明の実施の形態１における冷蔵庫を示す。図１において、１は冷蔵庫本体、２，３は冷蔵庫本体１の前面開口を開閉する扉で、それぞれ一端辺側を冷蔵庫本体１に枢支して観音開きするようにしてある。４は一方の扉２の扉同士の突合せ端面に設け
た仕切体で、扉端面に回転自在に枢支してあり、扉２を開くと図示するようにバネ（図示せず）の附勢力によって扉端面に沿ったところに位置するが、扉２を閉じると後述するガイド部材の作用によって扉１，２同士間の内側に位置し、これらの間をシールするようになっている。なお、扉周囲にはパッキンが設けてあってこのパッキンが仕切体４に圧接することによってシールが確保されるのであり、この点は従来と同様である。
【００２４】
５は上記仕切体４を回転駆動させるガイド部材で、冷蔵庫本体１の開口縁に設けてある。このガイド部材５は図５に示すようにガイド片６が一体形成してあり、このガイド片６が閉じてくる扉２の仕切体４上部に設けてあるガイド溝（図示せず）に嵌り合い摺動することによって仕切体４を回転駆動し、扉同士の突合せ端面を覆わせるようになっている。このガイド部材５には当該ガイド部材５を冷蔵庫本体１に取り付けるためのガイド部材透孔７が形成してあり、以下、その取り付け構成について図２〜図４を用いて説明していく。
【００２５】
図２はガイド部材５の取り付け部を示す断面図、図３はその要部拡大断面図であり、ガイド部材５は冷蔵庫本体１の内箱１ａに取り付けられる。８はこのガイド部材５を内箱１ａに取り付けるための固定具で、ナイロン６などのある程度の硬度と弾力性を持った樹脂材料で形成してあり、図３、図４に示すように前記内箱１ａの固定具取り付け用孔９（図３参照）の周縁部を覆う薄肉で柔軟な傘部１０と、前記傘部１０の略中央部分に設けた挟持固定部１１と、挟持固定部１１の中央部から突出して前記内箱１ａの固定具取り付け用孔９を貫通しガイド部材５側に臨むボス部１２と、前記ボス部１２のガイド部材５に面する側の端部に形成した弾性変形可能な係止部１３と、前記傘部１０のボス部１２とは反対側に設けた杷手部１４とからなる。そして、この固定具８は前記ボス部１２の係止部１３を内箱１ａの固定具取り付け用孔９に弾性変形させながら押し込み圧入貫通させて固定具取り付け用孔９周縁に係止固定してある。
【００２６】
その際、挟持固定部１１は係止部１３の固定具取り付け用孔９周縁への係止固定時に当該係止部１３とで固定具取り付け用孔９の周縁を挟持し、強固に取り付くことになる。また、傘部１０は内箱１ａの取り付け用孔９周縁部に強く引き寄せられ、当該取り付け用孔９周縁部に密着して取り付け用孔９を覆ってしまう。
【００２７】
さらに、上記係止部１３は円周方向に傾斜した複数の翼辺１３ａで構成してあるから、この翼辺１３ａを固定具取り付け用孔９にねじり込んで圧入貫通させることにより、当該翼辺１３ａの弾性力が働いて内箱１ａの取り付け用孔９周縁部に係止固定される。したがって、固定具８はその翼辺１３ａの傾斜による弾性復元圧着力が強力に作用することになり、固定具がぐらついて傾いた状態で固定されてしまうのを、より確実に防止することができる。
【００２８】
以上説明したような状態で固定具８は冷蔵庫本体１の内箱１ａに取り付け固定され、その状態で冷蔵庫本体１の内外箱１ａ、１ｂ間にウレタン樹脂等の断熱材１５が発泡充填され、固定具８はこの断熱材１５中に埋設されたような形で固定される。その際、断熱材１５は固定具８の傘部１０を冷蔵庫本体１の内箱１ａに押し付けて固定具８をより強固に固定することになる。そしてこの状態で冷蔵庫本体１の内箱１ａにガイド部材５をあてがい、そのガイド部材用透孔７にビス１６を通し固定具８のボス部ネジ孔１２ａにねじ込んでガイド部材５を冷蔵庫本体１の内箱１ａ取り付け固定してある。
【００２９】
以上のように、固定具８はそのボス部１２を冷蔵庫本体内箱１ａの固定具取り付け用孔９に係止部１３を弾性変形させながら押し込み圧入するだけで内箱１ａに取り付け固定することができ、従来のビス孔位置合わせのような手間のかかる作業は必要なく、きわめて簡単かつ容易に取り付け固定することができる。
【００３０】
また、上記固定具ボス部１２の固定具取り付け用孔９への圧入は杷手部１４を持ってボス部１２を内箱１ａの固定具取り付け用孔９に押し込みながら圧入貫通させればよく、杷手部１４を設けたことによりボス部１２の固定具取り付け用孔９への装着が容易に行える。
【００３１】
一方、前記固定具８はそのボス部１２が内箱１ａの固定具取り付け用孔９を貫通していること、そして上記したように内箱１ａに強固に取り付いていることから、断熱材発泡時の高圧がかかってもその位置が動いたり傾いたりすることはなく、ビス止めできない、もしくはビス止め国難なものが、発生するようなことがなくなる。また、傘部１０が固定具取り付け用孔９を覆ってその孔周縁部に圧着しているから、断熱材発泡時の高圧が加わっても、この断熱材１５が傘部１５の内側に入り込んできて固定具取り付け用孔９からはみ出すようなこともなくなる。したがって、このはみ出した断熱材が障害となってガイド部材５を取り付けられなくなるようなこともなくなる。
【００３２】
また、このようにして内箱１ａの固定具取り付け用孔９に取り付けた固定具８はそのボス部１２が固定具取り付け用孔９に嵌っていて、そのボス部１２自体に直接ガイド部材５をネジ止めするため、ガイド部材５の位置決め精度が向上する。その結果、上記ガイド部材５によってその動きがガイドされる仕切体４の位置決め精度も向上し、冷蔵庫本体１の扉突合せ面からの冷気漏れを確実に防止することができ、冷蔵庫としての省エネ性を向上させることもできる。
【００３３】
（実施の形態２）
この実施の形態は図示しないが、前記固定具８のボス部１２に金属製のナットをインナー成形するなどして一体に設けたものである。このような構成とすることによって、ガイド部材５を固定するビスをねじ込む部分が金属製のナットとなるから、十分な強度が確保でき、固定具装着性の良さを維持しつつガイド部材５の強固な取り付け固定が可能となる。
【産業上の利用可能性】
【００３４】
以上のように本発明の冷蔵庫は、固定具のボス部を固定具取り付け用孔に押し込むだけで取り付けが完了するので作業性が向上するとともに、固定具が断熱材の発泡圧力によって位置ずれするようなこともなくなり、かつ、固定具取り付け用孔から断熱材が漏れ出すこともなくなるので歩留まりもよくなり、作業性および歩留まりの向上という双方の相乗効果によって大幅なコストダウンができる。
【符号の説明】
【００３５】
１  冷蔵庫本体
１ａ  内箱
１ｂ  外箱
２  扉
３  扉
４  仕切体
５  ガイド部材
６  ガイド片
７  ガイド部材透孔
８  固定具
９  固定具取り付け用孔
１０  傘部
１１  挟持固定部
１２  ボス部
１２ａ  ボス部ネジ孔
１３  係止部
１３ａ  翼辺
１４  杷手部
１５  断熱材
【図１】
2013083410.tif 000003
【図２】
2013083410.tif 000004
【図３】
2013083410.tif 000005
【図４】
2013083410.tif 000006
【図５】
2013083410.tif 000007
【図６】
2013083410.tif 000008
【図７】
2013083410.tif 000009
【図８】
2013083410.tif 000010